(57)【特許請求の範囲】
【請求項１】
プラグフレームの後部に嵌合固定したストップリングと、軸心に光ファイバを嵌着したフェルールを、前記プラグフレームの先端軸心に、前記ストップリングとの間に圧縮バネを介在して配設し、前記ストップリングに挿通した光ファイバコードと、該光ファイバコードから引き出したケブラを、前記ストップリングの後部外周面との間にカシメ固定するカシメリングとを具備したものであって、前記カシメリングを、そのストレートの内部孔に対して、外形を基端から先端へ徐々に拡径するテーパに形成し、
カシメ工具によってカシメリングを外周から中心に向けてカシメた際に、基部側の内径よりも、先端側内径が小さくカシメ縮径されることで、ケブラをストップリングの後部基端外周面とカシメリングの先端部内周面との間にカシメ固定されるものとしたことを特徴とする光プラグ。
【発明の詳細な説明】
【０００１】
【発明の属する技術分野】
本発明は、光通信システム用の光ファイバ相互間、あるいは、光ファイバと光デバイス間を光学的に接続するのに使用される光レセプタクル等用の光プラグに関する。
【０００２】
【従来の技術】
従来の光レセプタクル等用の光プラグは、そのプラグフレームと光ファイバコードとの固定構造が図５及び図６に示したように構成されている。
図５及び図６に示した如く、プラグフレームａの後部内に前部を嵌合固定したストップリングｂ内に、軸心に光ファイバｄを嵌着してなるフェルールｅを先端に有する光ファイバコードｃを挿通し、コード外被ｆの端部を切り裂き引き出したケブラｇを、ストップリングｂの後部外周面上に一様に沿わせ、上記ストップリングｂの後部外周面上のケブラｇにカシメリングｈを被せ、上下一対のカシメ工具ｉ、Ｊのカシメ部ｉ1、Ｊ1（丸カシメ）でカシメリングｈをカシメて縮径し、ケブラｇを、上記ストップリングｂ後部と、カシメリングｈとの間にカシメ固定する構成である。尚、図５及び図６において、ｋはコード外被固定用リングを示し、図５においてｌはブーツ、ｍはストップリングｂとフェルールｃ間に介在した圧縮バネを各示す。
【０００３】
【発明が解決しようとする課題】
しかしながら、上記した従来の光プラグは、ストップリングｂの外周面上にケブラｇをカシメ固定するカシメリングｈが、周壁、つまり内部孔ｈ1及び外形ｈ2がともにストレートであるので、その周壁が真円にカシメ縮径された場合は、ストップリングｂに対するカシメリングｈの軸方向カシメ長さの全域あるいは、そのカシメ長さの何れかの部分においてケブラｇをカシメ固定することができるとしても、実際には、当該カシメリングｇを均一、かつ真円にカシメ縮径することは困難であって、図７に例示した如く、波形等にでこぼこにカシメられることが多い。そして、このようにカシメられた場合は、固定状態のケブラと、非固定状態のケブラとが発生し、その非固定状態のケブラの分だけプラグフレームａ（ストップリング）に対する光ファイバコードｃの固定強度が低下するという品質上の問題がある。
【０００４】
【目的】
本発明は、上記従来の光プラグの有するこのような問題点に鑑みてなされたもので、カシメリングの外形を基端から先端へ徐々に拡径したテーパに形成し、カシメ工具によって、先端部が適切にカシメ縮径されるよう構成したことにより、ケブラを、ストップリング外周面と、カシメリングの先端部との間で確実にカシメ固定されるようにした光レセプタクル等用の光プラグを提供することを目的とする。
【０００５】
【課題を解決するための手段】
上記目的を達成するために、本発明に係る光プラグは、プラグフレームの後部に嵌合固定したストップリングと、軸心に光ファイバを嵌着したフェルールを、前記プラグフレームの先端軸心に、前記ストップリングとの間に圧縮バネを介在して配設し、前記ストップリングに挿通した光ファイバコードと、該光ファイバコードから引き出したケブラを、前記ストップリングの後部外周面との間にカシメ固定するカシメリングとを具備したものであって、前記カシメリングを、そのストレートの内部孔に対して、外形を基端から先端へ徐々に拡径するテーパに形成し、
カシメ工具によってカシメリングを外周から中心に向けてカシメた際に、基部側の内径よりも、先端側内径が小さくカシメ縮径されることで、ケブラをストップリングの後部基端外周面とカシメリングの先端部内周面との間にカシメ固定されるものとしたことを特徴とする。
【０００６】
【作用】
プラグハウジング内に、その後部から圧縮バネとストップリングを挿入し、該ストップリングは、係合孔と係合突起とからなる係合手段によってプラグフレームに固定する。
光ファイバコードの光ファイバを軸心に嵌着したフェルールをストップリング、プラグハウジング内に挿入し、該プラグハウジングの先端から所定長さ突出させ、光ファイバコードのコード外被先端をストップリングの後端近くに位置させたならば、コード外被を先端から長さ方向へ所定長さ、カッターナイフまたはニッパー等で切り裂く。
【０００７】
次いで、ストップリングの後端とコード外被の先端との間隙からピンセット等を用いてケブラを引き出す。
引き出したケブラを、プラグハウジングの後部から突出したストップリングの後部外周面上に一様に沿わせ、予め光ファイバコードに外装させてあるカシメリングをケブラ外周に被嵌させる。
上記カシメリングの前端とストップリングとの間から延設されているケブラをピンセット等を用いて前方（プラグハウジング側）へ引張り、ケブラのたわみをとる。
【０００８】
次いで、略半円形凹部形状にカシメ部（丸カシメ）が対向形成されている上下一対のカシメ工具を対向閉動し、そのカシメ部にてカシメリングを外周から中心に向けてカシメると、該カシメリングの外形が、ストレートな内部孔に対して、基端から先端へ徐々に拡径したテーパに形成されているため、基端側よりも先端側の方がカシメ量が大きくなる。つまり、カシメリングの内径が、基端側よりも先端側の方が小さく縮径されることとなる。
従って、ケブラは、ストップリングの基部とカシメリングの先端部間に確実にカシメ固定される。
【０００９】
【発明の実施の形態】
以下、本発明に係る光プラグの実施の形態について図面を参照して説明する。
図１は光プラグの半断面図を示し、図２はストップリングとカシメリングとの間にケブラをカシメ固定する途中の状態の縦断面図を示し、図３はカシメ工具を用いてカシメリングをカシメ、ストップリングとカシメリングとの間にケブラをカシメ固定した状態の縦断面図を示し、図４は図３におけるＡ−Ａ線矢視断面図を示す。
【００１０】
光プラグ１は図１に示したように、多角形のプラグフレーム２と、該プラグフレーム２の後部内に、係合突起３ａ及び係合孔３ｂとからなる係合手段３によって前部を嵌合固定した円筒形のストップリング４と、該ストップリング４の後部外周面との間にケブラ１０をカシメ固定するカシメリング５と、上記ストップリング４及びカシメリング５に挿通した光ファイバコード６と、該光ファイバコード６の光ファイバ７を軸心に貫通固定し、上記ストップリング４との間に圧縮バネ８を介在して上記プラグフレーム２の先端軸心に配設したフェルール９と、上記カシメリング５の後部外周面との間にコード外被１２を固定するリング１１と、上記カシメリング５及びリング１１並びに光ファイバコード６を被覆するブーツ１３と、ツマミ１４とで構成されている。
【００１１】
上記カシメリング５は図２に明示した如く、前部５ａを径大円筒形状に、後部５ｂは径小円筒形状に、アルミニウム合金等によって一体に成形させてある。そして、上記前部５ａは、上記したストップリング４の後部４ａ外周面上に、ケブラ１０を一様に沿わせた状態で、これが外周に嵌合できるように、その内部孔５ｃの内径を任意に設定して、かつストレートに形成させてある。
一方、上記後部５ｂの内部孔５ｄは、光ファイバコード６を挿通可能な内径に設定して形成させてある。
【００１２】
さらに、上記カシメリング５における前部５ａの外形は、そのストレートな内部孔５ｃに対して、基端（図２において右端）を最小径に、これより先端（図２において左側）へ徐々に大径となるようテーパに形成してあり、これによって、前部５ａの周壁は、基部が薄肉に、先端が厚肉に形成される。
【００１３】
従って、図２に二点鎖線で示したように、ストップリング４の後部外周面上にケブラ１０を一様に沿わせ、カシメリング５を嵌合した後、図３及び図４に示したように、上下一対のカシメ工具１５、１６のカシメ部１５ａ、１６ａ（丸カシメ）によってカシメリング５（前部５ａ）をカシメた際、カシメ工具１５、１６によるカシメ力が、前部５ａの、その基端側よりも先端側に大きく作用し、また周壁基部が薄肉であることによって、前部５ａは先細りに縮径される。つまり、基部側の内径Ｌよりも、先端側内径ｒが小さくカシメ縮径される。従って、ケブラ１０は、ストップリング４の後部基端外周面とカシメリング５の先端部内周面との間に強固にカシメ固定されることになる。
【００１４】
尚、図１ないし図３において、１７…と、１８…は、既述ストップリング４の後部４ａ外周に、軸方向へ一定の間隔をおいて交互に設けた環状突条と、環状凹溝を、１９はコード外被１２端部に切設した切裂部を各示す。
【００１５】
【発明の効果】
本発明は、以上説明したように構成されているので、カシメリングを、上下一対のカシメ工具を用いてカシメることで、該上下一対のカシメ工具によるカシメ力が、カシメリングの最径大である先端部に集中することによって当該カシメリングのカシメ縮径を容易、かつ均一にできて、ストップリング外周面と、カシメリングとの間におけるケブラのカシメ固定を確実、強固に行なうことができ、もって、光ファイバコードの引き抜き力に対して充分に耐えうる堅牢な高品質の光レセプタクル等用の光プラグを提供することができるものである。
【図面の簡単な説明】
【図１】本発明に係る光プラグを示す半断面図である。
【図２】同上光プラグにおけるストップリングとカシメリングとのケブラをカシメ固定する途中の状態を示す縦断面図である。
【図３】同上光プラグにおけるストップリングとカシメリングとの間にケブラをカシメ固定した状態を示す縦断面図である。
【図４】図３におけるＡ−Ａ線矢視横断面図である。
【図５】従来の光プラグを示す半断面図である。
【図６】従来の光プラグにおけるストップリングとカシメリングとの間にケブラをカシメ固定した状態を示す縦断面図である。
【図７】図６におけるＢ−Ｂ線矢視横断面図である。
【符号の説明】
１              光プラグ
２              プラグフレーム
４              ストップリング
５              カシメリング
５ｃ            内部孔
６              光ファイバコード
７              光ファイバ
８              圧縮バネ
９              フェルール
１０            ケブラ
【図１】
0004256048.tif 000002
【図２】
0004256048.tif 000003
【図３】
0004256048.tif 000004
【図４】
0004256048.tif 000005
【図５】
0004256048.tif 000006
【図６】
0004256048.tif 000007
【図７】
0004256048.tif 000008